(57)【要約】【課題】通風抵抗が増加することによる性能低下を抑制することができる空気調和機の室内機を提供すること。【解決手段】本発明は、空気調和機の室内機は、熱交換器と、熱交換器の前面側に塵埃を捕集するエアフィルターを取り付けるエアフィルター枠と、熱交換器への送風を行う室内ファンを有する空気調和機の室内機であって、エアフィルター枠から内方に向かって延出し、熱交換器の下方に設けた水受け部に結露水を誘導する結露水処理部を備え、結露水処理部の延伸する方向の延長線上が、室内ファンの中心となるようにした。【選択図】図２
2011247532.tif 000002
【特許請求の範囲】
【請求項１】
熱交換器と、前記熱交換器の前面側に塵埃を捕集するエアフィルターを取り付けるエアフィルター枠と、前記熱交換器への送風を行う室内ファンを有する空気調和機の室内機であって、前記エアフィルター枠から内方に向かって延出し、前記熱交換器の下方に設けた水受け部に結露水を誘導する結露水処理部を備え、前記結露水処理部の延伸する方向の延長線上が、前記室内ファンの中心となるようにしたことを特徴とする空気調和機の室内機。
【請求項２】
前記結露水処理部にスリットを設けたことを特徴とする請求項１に記載の空気調和機の室内機。
【請求項３】
前記結露水処理形状の先端に、水飛び防止の不織布を具備したことを特徴とする請求項１または２に記載の空気調和機の室内機。
【発明の詳細な説明】
【技術分野】
【０００１】
本発明は、熱交換器を有する空気調和機の室内機に関し、特に、結露水処理に関するものである。
【背景技術】
【０００２】
従来、空気調和機の室内機において、屈折させた熱交換器の表面に結露した結露水が熱交換器に誘い込まれず前面枠から露が飛び出すことになる。そのため、エアフィルター枠や前面枠に熱交換器から飛び出した結露水を熱交換器に誘い込む目的で結露水処理形状が設けられている（例えば、特許文献１参照）。
【０００３】
図６は従来の空気調和機の室内機の断面図である。図６に示すようにエアフィルター枠５には、結露水を水受け部１２へ導くように、結露水処理部８が設けられている。
【先行技術文献】
【特許文献】
【０００４】
【特許文献１】特開２００１−１２４３６３号公報
【発明の概要】
【発明が解決しようとする課題】
【０００５】
しかしながら、前記従来の構成では、熱交換器の前面に結露水処理部８を設立させるため、空気の通り道である風回路を遮断してしまい、通風抵抗が増加することによって、性能が低下してしまうという課題を有していた。
【０００６】
本発明は前記従来の課題を解決するもので、通風抵抗が増加することによる性能低下を抑制することができる空気調和機の室内機を提供することができる。
【課題を解決するための手段】
【０００７】
前記従来の課題を解決するために、本発明の空気調和機の室内機は、熱交換器と、熱交換器の前面側に塵埃を捕集するエアフィルターを取り付けるエアフィルター枠と、熱交換器への送風を行う室内ファンを有する空気調和機の室内機であって、エアフィルター枠から内方に向かって延出し、熱交換器の下方に設けた水受け部に結露水を誘導する結露水処理部を備え、結露水処理部の延伸する方向の延長線上が、室内ファンの中心となるようにしたことにより、延出した結露水処理部が通風抵抗になりにくいという効果が得られる。
【発明の効果】
【０００８】
本発明の空気調和機の室内機は、通風抵抗が増加することによる性能低下を抑制することができる。
【図面の簡単な説明】
【０００９】
【図１】本発明の実施の形態１における空気調和機の室内機の正面図
【図２】同実施の形態１における空気調和機の室内機の縦断面図
【図３】同実施の形態１における空気調和機の室内機の要部斜視図
【図４】同実施の形態１におけるＢ部拡大図
【図５】同実施の形態１におけるＣＣ断面図
【図６】従来の空気調和機の縦断面図
【発明を実施するための形態】
【００１０】
第１の発明の空気調和機の室内機は、熱交換器と、熱交換器の前面側に塵埃を捕集するエアフィルターを取り付けるエアフィルター枠と、熱交換器への送風を行う室内ファンを有する空気調和機の室内機であって、エアフィルター枠から内方に向かって延出し、熱交換器の下方に設けた水受け部に結露水を誘導する結露水処理部を備え、結露水処理部の延伸する方向の延長線上が、室内ファンの中心となるようにしたことにより、延出した結露水処理部が通風抵抗になりにくいという効果が得られる。
【００１１】
第２の発明の空気調和機の室内機は、特に第１の発明において、結露水処理部にスリットを設けたことにより、さらに延出した結露水処理部が通風抵抗になりにくいという効果が得られる。
【００１２】
第３の発明の空気調和機の室内機は、特に第１または第２の発明において、結露水処理形状の先端に、水飛び防止の不織布を具備したことにより、結露水を水受け部へ確実に導くことができ、水飛び防止の効果が得られる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の室内機の正面図であり、図２は、ＡＡ断面図である。また、図３は実施の形態１におけるエアフィルター枠５の要部斜視図である。
【００１５】
まず、空気調和機の室内機１の内部には、冷媒と室内空気とが熱交換を行う熱交換器２と、室内に空気を吹き出す室内ファン３と、風回路を形成する吹出しグリル４が配設されている。
【００１６】
また、熱交換器２の前面側にはエアフィルター枠５、エアフィルター６が配設されている。また外郭を構成する前面枠７から室内機１が構成されている。
【００１７】
このように構成された空気調和気の室内機について説明する。熱交換器２の前面側にエアフィルター枠５から延出させた結露水処理部８は、熱交換器２の通風抵抗となり風の流れが遮断され性能低下につながる。
【００１８】
ここで、外郭を構成するエアフィルター枠５から延出させた結露水処理部８を、室内ファン３の中心に向かって角度を設けることで、風の流れが良化され性能が改善されるという効果が得られる。
【００１９】
なお、本実施の形態ではエアフィルター枠５から結露水処理部８を延伸させたが、これに限定されることはなく、前面枠７から延伸させる構成であってもよい。
【００２０】
さらに、図４はＢ部拡大図である。図４に示すように、外郭を構成するエアフィルター枠５から延出させた結露水処理部８に通風抵抗を軽減させるためスリット９を設けることで風の流れが良化され性能が改善されるという効果が得られる。
【００２１】
さらに、図５はＣＣ断面図である。図５に示すようにここで、エアフィルター枠５から延出させた結露水処理部８の先端に、水飛び防止の不織布１０を貼付けることで結露水処理部８に受けた結露水１１を、風回路を形成している吹出しグリル４の水受け部１２へ確実に導くことができ水飛び防止の効果が得られる。
【産業上の利用可能性】
【００２２】
本発明にかかる空気調和機は、熱交換器の前面側だけでなく側面側の配置でも可能となるので、室外機等の用途にも適用できる。
【符号の説明】
【００２３】
１  室内機
２  熱交換器
３  室内ファン
４  吹出しグリル
５  エアフィルター枠
６  エアフィルター
７  前面枠
８  結露水処理部
９  スリット
１０  不織布
１１  結露水
１２  水受け部
【図１】
2011247532.tif 000003
【図２】
2011247532.tif 000004
【図３】
2011247532.tif 000005
【図４】
2011247532.tif 000006
【図５】
2011247532.tif 000007
【図６】
2011247532.tif 000008